(57)【特許請求の範囲】
【請求項１】
ウェブブラウザ画面を１つだけ起動できる装置であって、
ユーザから複数のウェブページの一括受信指示を受け付ける一括受信指示受付部と、
前記一括受信指示が受け付けられたとき、前記複数のウェブページを外部サーバから取得するページ取得部と、
前記複数のウェブページを結合し、一覧ウェブページを作成する結合部と、
前記複数のウェブページのうち表示したいウェブページの選択指示をユーザから受け付ける選択受付部と、
前記選択指示が受け付けられたとき、前記一覧ウェブページのうち選択されたウェブページに該当する領域を表示させる領域表示部と、
を備えることを特徴とするウェブページ閲覧装置。
【請求項２】
前記一覧ウェブページに含まれる複数のウェブページに対してユーザから入力されたデータを入力データとして保持する入力保持部と、
前記一覧ウェブページに含まれる複数のウェブページに対してユーザから入力されたデータを外部サーバへ送信するための一括送信指示を受け付ける送信受付部と、
前記一括送信指示が受け付けられたとき、前記入力データを前記一覧ウェブページに含まれる複数のウェブページに対応する外部サーバへ送信するデータ送信部と、
をさらに備えることを特徴とする請求項１に記載のウェブページ閲覧装置。
【請求項３】
ウェブブラウザ画面を１つだけ起動できる外部のユーザ端末に接続され、
複数のウェブページの一括受信指示を前記ユーザ端末から受け付ける一括受信指示受付部と、
前記一括受信指示で指定された複数のウェブページを外部サーバから取得するページ取得部と、
前記複数のウェブページを結合し、一覧ウェブページを作成する結合部と、
前記一覧ウェブページを前記ユーザ端末に送信する一覧画面送信部と、
を備えることを特徴とするウェブページ閲覧サーバ。
【請求項４】
前記一覧ウェブページの入力領域に対するユーザの入力データと、各入力領域に対応する送信先情報とを含む一括送信指示情報を前記ユーザ端末から受け付ける送信受付部と、
前記一括送信指示情報が受け付けられたとき、前記一括送信指示情報にしたがって、前記入力データを前記送信先情報に対応する外部サーバへ送信するデータ送信部と、
をさらに備えることを特徴とする請求項３に記載のウェブページ閲覧サーバ。
【請求項５】
前記入力データの送信先となる前記外部サーバからの応答を受付ける応答受付部と、
各外部サーバからの応答にもとづいて、前記一覧ウェブページを更新するページ更新部と、
更新された一覧ウェブページを前記ユーザ端末に送信する更新画面送信部と、
をさらに備えることを特徴とする請求項４に記載のウェブページ閲覧サーバ。
【請求項６】
ウェブブラウザ画面を１つだけ起動できるコンピュータに実行させるコンピュータプログラムであって、
ユーザから複数のウェブページの一括受信指示を受け付ける機能と、
前記一括受信指示が受け付けられたとき、前記複数のウェブページを外部サーバから取得する機能と、
前記複数のウェブページを結合し、一覧ウェブページを作成する機能と、
前記複数のウェブページのうち表示したいウェブページの選択指示をユーザから受け付ける機能と、
前記選択指示が受け付けられたとき、前記一覧ウェブページのうち選択されたウェブページに該当する領域を表示させる機能と、
をコンピュータに実行させることを特徴とするプログラム。
【請求項７】
複数のウェブページの一括受信指示を、ウェブブラウザ画面を１つだけ起動できる外部のユーザ端末から受け付ける機能と、
前記一括受信指示で指定された複数のウェブページを外部サーバから取得する機能と、
前記複数のウェブページを結合し、一覧ウェブページを作成する機能と、
前記一覧ウェブページを前記ユーザ端末に送信する機能と、
をコンピュータに実行させることを特徴とするプログラム。
【発明の詳細な説明】
【技術分野】
【０００１】
この発明は、ウェブページの閲覧技術に関する。
【背景技術】
【０００２】
ユーザは、インターネットを介して世界中のウェブページにアクセスしさまざまな情報を得ることができるようになった。ウェブページの閲覧は、ウェブブラウザと呼ばれるソフトを用いて行われることが一般的である。
また、携帯電話にウェブブラウザを搭載し、携帯電話でウェブページを閲覧することも一般的になっている。
【０００３】
特許文献１には、携帯電話によるコンテンツの閲覧方法について開示されている。
【特許文献１】特開２００１-３５８７４５号公報
【発明の開示】
【発明が解決しようとする課題】
【０００４】
携帯電話などの表示画面が小さな端末装置から複数のウェブページを閲覧するとき、表示画面が限られているため、複数のウェブブラウザを開いても表示領域がさらに制限されるため見づらく、また、その切替操作も煩雑とならざるを得ない。また、携帯電話などの機種によっては、複数のウェブブラウザ画面を起動することができないものもある。
さらに、複数のウェブページについて情報を入力し、入力情報をサーバへ送信する際には、ユーザはウェブページへのアクセス、入力、送信操作を各ウェブページについて行わなければならず、その操作はユーザの負担となる。また、各ウェブページへ入力した情報を比較検討しながら入力するときにも閲覧時と同様その切り替え操作は煩雑となる。
【０００５】
本発明は、上記課題認識に基づいて完成された発明であり、その主たる目的は、ウェブページの閲覧および入力操作を快適にすることにある。
【課題を解決するための手段】
【０００６】
上記課題を解決するために、本発明のある態様のウェブページ閲覧装置は、ユーザから複数のウェブページの一括受信指示を受け付ける一括受信指示受付部と、一括受信指示が受け付けられたとき、複数のウェブページを外部サーバから取得するページ取得部と、複数のウェブページを結合し、一覧ウェブページを作成する結合部と、複数のウェブページのうち表示したいウェブページの選択指示をユーザから受け付ける選択受付部と、選択指示が受け付けられたとき、一覧ウェブページのうち選択されたウェブページに該当する領域を表示させる領域表示部と、を備える。
【０００７】
本発明の別の態様は、ウェブページ閲覧サーバである。このウェブページ閲覧サーバは、外部のユーザ端末に接続され、複数のウェブページの一括受信指示をユーザ端末から受け付ける一括受信指示受付部と、一括受信指示で指定された複数のウェブページを外部サーバから取得するページ取得部と、複数のウェブページを結合し、一覧ウェブページを作成する結合部と、一覧ウェブページをユーザ端末に送信する一覧画面送信部と、を備える。
【０００８】
なお、以上の構成要素の任意の組み合わせ、本発明を方法、装置、システム、記録媒体、コンピュータプログラムにより表現したものもまた、本発明の態様として有効である。
【発明の効果】
【０００９】
本発明によれば、ウェブページからの入力情報の送信操作を簡易にできる。
【発明を実施するための最良の形態】
【００１０】
（実施形態１）
図１は、ウェブページ閲覧装置１００によってウェブページを閲覧する際の概略を示すネットワーク構成図である。
ネットワーク１２は、コンピュータの通信網である。ウェブサーバ１０ａおよび１０ｂ（以下単にウェブサーバ１０という）は、ウェブページを提供するサーバである。ウェブページ閲覧装置１００およびウェブサーバ１０は、ネットワーク１２に接続されている。
【００１１】
ウェブページ閲覧装置１００は、ユーザから指定された複数のウェブページを、それぞれの指定に対応したウェブサーバ１０より取得する。ウェブページ閲覧装置１００は、取得した複数のウェブページを保持し、それらを結合して１つの一覧ウェブページを作成し、表示させる。ユーザは、ウェブページの表示を切り替えながらテキストボックスなどの入力領域に送信データを入力する。ウェブページ閲覧装置１００は、一覧ウェブページの入力領域に入力された送信データを保持する。ユーザは、各ウェブページへの入力が完了すると、ウェブページ閲覧装置１００に対して送信データの一括送信の指示を行う。ウェブページ閲覧装置１００は、保持された送信データを、各ウェブページの送信指示に応じてウェブサーバ１０へ送信する。
【００１２】
図２は、本発明の実施の形態に係るウェブ閲覧装置によって生成される一覧ウェブページの画面図である。
図２中の３０ａ、３０ｂ、３０ｃは、ウェブサーバ１０から取得したウェブページである。これらのウェブページは別々のウェブサーバあるいは同一のウェブサーバから取得される。一覧ウェブページ２０は、これらのウェブページを結合することによって生成される。
画面図３８はウェブページ閲覧装置１００の画面上に実際に表示されるときの一覧ウェブページ２０の表示形態の例である。このように表示されることによって、ユーザは表示対象となるウェブページの切り替えをすることで、各ウェブページの閲覧や入力操作を容易に行うことができる。また、各ウェブページに対応する情報が結合されたウェブページとして一括して読み込まれるため、画面表示の切り替えの際に、対象となるウェブページをウェブサーバに取得しにいく必要がなく、迅速なアクセスが可能となる。
【００１３】
一覧ウェブページ２０は、各ウェブページに対応する内容が表示される領域であるウェブページ該当領域２６と、ユーザが入力データの一括送信を指示する一括送信ボタン２２と、ウェブページ該当領域２６の切り替えを行うための切替指示部２４によって構成される。
【００１４】
一覧ウェブページ２０は、ウェブページがｈｔｍｌなどで記述されている場合は、その中の「body」タグで挟まれた記述部分を抽出して結合することによって作成される。
【００１５】
切替指示部２４は、リンクやタブあるいはボタンなど選択指示可能なインターフェースによって実現される。切替指示部２４には、該当するウェブページのタイトルなどウェブページを特定できる情報を端的に表示する。切替指示部２４によって表示するウェブページ該当領域２６が指定されると、該当する部分が表示されるように画面表示が変更される。表示の変更は、該当するウェブページ該当領域を表示し、その他の領域は非表示にすることで実現される。例えば、画面図３８の例では、ユーザがＢページを表示したい旨の指示を切替指示部２４にし、Ｂページに該当するウェブページ該当領域２６が表示され、その他のウェブページに該当するウェブページ該当領域２６は非表示となっている。表示変更はウェブページ該当領域２６をスクロールさせて、表示したいウェブページに該当するウェブページ該当領域２６を画面表示させることによって実現されてもよい。
【００１６】
ウェブページ該当領域２６には、ウェブサーバ１０から取得したウェブページから取得した内容が表示される。ウェブページ該当領域２６に表示されるウェブページは、通常ｈｔｍｌで記載されているが、ｘｍｌなど他の言語で記載されていてもよいし、アプリケーションサーバなどによって動的に生成されるページであってもよい。
【００１７】
ウェブページ該当領域２６は、情報表示領域３２と入力領域３４と送信ボタン３６によって構成される。入力領域３４は、１つあるいは複数の入力欄からなり、送信ボタン３６の押下によって送信指示がなされる単位の入力欄の集合である。図２中の「Ａページ」に該当する部分の場合、「住所」、「氏名」の２つの記入欄によって１つの入力領域となり、送信ボタン３６によってその入力領域の入力データが送信データとして送信される構成となっている。
【００１８】
なお、図２には図示しないが、一覧ウェブページ２０は通常のウェブブラウザが有するようなブックマークやＵＲＬアドレス表示などの機能を持ち、その機能を起動するためのメニュー項目を表示することができる。
【００１９】
図３は、ウェブページ閲覧装置１００の機能ブロック図である。
ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組み合わせによっていろいろなかたちで実現できることは、当業者には理解されるところである。
【００２０】
ウェブページ閲覧装置１００は、インターフェース部１２０、結合部１３４、データ保持部１３０、ウェブサーバ対応部１３６を含む。インターフェース部１２０は、ユーザへウェブページの表示をしたり、ユーザからの入力を受け付けるなどのユーザインターフェースに関する処理を担当する。結合部１３４は、取得したウェブページを結合して一覧ウェブページ２０を作成する。データ保持部１３０は、入力データの保持や、その他設定データなどを保持する。ウェブサーバ対応部１３６は、ネットワークを介してウェブサーバ１０との情報の送受信処理を担当する。
【００２１】
インターフェース部１２０は、一括受信指示受付部１２２、選択受付部１２４、領域表示部１２６、送信受付部１２８を含む。一括受信指示受付部１２２は、ユーザが表示を希望する複数のウェブページの指定を受け付ける。選択受付部１２４は、ユーザが一覧ウェブページ２０上で表示を希望するウェブページに該当するウェブページ該当領域２６の選択を受け付ける。領域表示部１２６は、ユーザによって選択されたウェブページ該当領域２６を表示させる状態で一覧ウェブページ２０を表示させる。送信受付部１２８は、一覧ウェブページ２０上の各入力領域への入力データを一括して送信するユーザからの指示を受け付ける。
【００２２】
データ保持部１３０は、入力保持部１３２を含む。入力保持部１３２は、一覧ウェブページ２０に対するユーザからの入力データを保持する。
【００２３】
ウェブサーバ対応部１３６は、ページ取得部１３８、データ送信部１４０を含む。ページ取得部１３８は、ユーザによって指定されたウェブページをネットワークを介してウェブサーバ１０より取得する。データ送信部１４０は、ユーザからの一括送信指示によってデータ保持部１３０に保持された入力データをウェブサーバ１０へ送信する。
【００２４】
次に、ウェブページ閲覧装置１００による処理の流れについて、適宜画面図とフローチャートを用いながら説明する。
まず、ユーザはインターフェース部１２０中の図示しない指示画面表示部にアクセスし、一括受信指示画面を開く。ユーザは、一括受信指示画面中のページ指定欄に読み込みを行う複数のウェブページの指定を入力する。ウェブページの指定はＵＲＬの入力によって行われてもよいし、ブックマークの一覧から選択してもよい。
一括受信指示受付部１２２は、指定されたウェブページの指定を受け付け、ページ取得部１３８に通知する。ページ取得部１３８は、指定されたＵＲＬにしたがってウェブサーバ１０にアクセスし、指定された複数のウェブページを取得する。
【００２５】
結合部１３４は、取得したウェブページを結合して一覧ウェブページを作成する。作成方法については、図２の説明で述べたとおりである。
一覧ウェブページは、図３中に図示しない初期表示部によって表示される。取得したウェブページのうち初期状態で表示されるウェブページ該当領域２６は、ユーザが最初に指定したウェブページに対応するものが考えられるが、任意に決定してよい。
【００２６】
ユーザは、ウェブページ該当領域２６に表示された各ウェブページの入力領域に対して送信データの入力を行う。ユーザは、表示されたウェブページ該当領域２６への入力完了後、ウェブページの表示の切り替えを行うときには、表示したいウェブページに対応した切替指示部２４をクリックする。選択受付部１２４は、ユーザからの選択指示を受け付ける。領域表示部１２６は、選択されたウェブページ該当領域２６が表示されるように一覧ウェブページ２０を表示させる。
【００２７】
上記の入力操作と表示切り替え処理をユーザの選択指示がある限り繰り返す。
入力保持部１３２は、一覧ウェブページ２０に対するユーザからの入力データを入力保持部１３２に保持する。入力データの保持のタイミングは、ユーザが切替指示部２４および一括送信ボタン２２をクリックしたタイミングである。図２の画面図３８の例で説明すると、ユーザがＢページへメールアドレスを入力し、Ｃページへ切り替えるために切替指示部２４をクリックしたとする。このときＢページに入力されたメールアドレスがＢページに対応づけられて入力保持部１３２に保持される。ユーザがＣページへの入力を完了し、全ての入力が完了したとき、ユーザは一括送信ボタン２２を押下する。このタイミングで、Ｃページに入力されていたデータが入力保持部１３２に保持される。
データ保持のタイミングは別のタイミングでもよく、データが入力される都度でもよいし、一定時間毎のタイミングでもよい。
ユーザは入力が完了すると、送信データの一括送信指示をするために一括送信ボタン２２を押下する。送信受付部１２８は、一括送信指示を受け付ける。
【００２８】
一括送信指示の受付後、データ送信部１４０は、入力保持部１３２に保持された入力データを送信する。入力データは、ウェブページ該当領域２６中に記載された送信先に送信される。送信先の取得は、一覧ウェブページが記載されたｈｔｍｌファイルを解析することによって行われる。ｈｔｍｌファイルはタグによって記述されているため、タグを解析して送信先の指示の記載を検出する。例えば、「form」タグ中のaction属性を取得することによって得られる。
ウェブページがｈｔｍｌ以外の言語によって記載されているときには、その言語の仕様によって判断される。
【００２９】
送信対象となるウェブページ該当領域２６の順番は、一覧ウェブページ２０に上から表示されている順番や、指定手段を設けている場合は、ユーザが指定した順番による。表示対象となったウェブページ同士が依存関係にある場合など送信順番を考慮しなければならない場合はその順番にしたがって送信する。例えば、ページ間で入力順番が決まっている場合には、ユーザが入力した順番を保持しておき、その順番にしたがって送信することが考えられる。
【００３０】
データ送信部１４０は、全てのウェブページ該当領域２６に対する送信処理が終わった時点で送信処理を終了する。送信処理終了後、ウェブサーバ対応部１３６内の図示しない応答受付部によって、送信した入力データに対するウェブサーバからの応答を受け付ける。
ウェブサーバからの応答を受け付けるたびに、インターフェース部１２０内の図示しないページ更新部によって一覧ウェブページ２０を更新する。送信した全てのウェブサーバからの応答を受け付け、その応答による更新が一覧ウェブページ２０に反映された時点で処理を終了する。
【００３１】
（実施形態２）
本実施形態では、実施形態１で示した一覧ウェブページ２０をサーバで生成し、ユーザ端末に表示させる。これにより、ユーザ端末はウェブブラウザソフトを備えていれば、サーバにアクセスすることによって一覧ウェブページ２０を表示することができ、複数のウェブページの快適な閲覧と入力操作を行うことができる。
【００３２】
図４は、ウェブページ閲覧サーバ２００を介してウェブページを閲覧する際の概略を示すネットワーク構成図である。
ユーザ端末４０は、ネットワーク１２に接続された端末装置である。ユーザ端末４０は、ウェブブラウザを備えウェブページが閲覧可能である。ユーザ端末４０としては、パソコン端末、携帯電話、ＰＤＡ、携帯情報端末、スマートフォンなどが考えられる。
ウェブページ閲覧サーバ２００、ウェブサーバ１０は、ネットワーク１２に接続されている。
【００３３】
図５は、ウェブページ閲覧サーバ２００の機能ブロック図である。
ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組み合わせによっていろいろなかたちで実現できることは、当業者には理解されるところである。
【００３４】
ウェブページ閲覧サーバ２００は、インターフェース部１２０、データ処理部１４８、データ保持部１３０、ウェブサーバ対応部１３６を含む。インターフェース部１２０は、ユーザへウェブページの表示をしたり、ユーザからの入力を受け付けるなどのユーザインターフェースに関する処理を担当する。データ処理部１４８は、取得したウェブページやウェブサーバからの応答を処理する。データ保持部１３０は、入力データの保持や、その他設定データなどを保持する。ウェブサーバ対応部１３６は、ネットワークを介してウェブサーバ１０との情報の送受信処理を担当する。
【００３５】
インターフェース部１２０は、一括受信指示受付部１２２、一覧画面送信部１４４、送信受付部１２８、更新画面送信部１４６、を含む。一括受信指示受付部１２２は、ユーザが表示を希望する複数のウェブページの指定を受け付ける。一覧画面送信部１４４は、ユーザ端末４０に一覧ウェブページを送信し表示させる。送信受付部１２８は、一覧ウェブページ２０上の各入力領域への入力データと、その送信先の情報を一括送信指示情報として受け付ける。更新画面送信部１４６は、入力データの一括送信後の各ウェブサーバからの応答に応じて更新された一覧ウェブページをユーザ端末４０に送信する。
【００３６】
データ保持部１３０は、各種設定データや更新対象となる一覧ウェブページ等を保持する。
【００３７】
ウェブサーバ対応部１３６は、ページ取得部１３８、データ送信部１４０、応答受付部１５２を含む。ページ取得部１３８は、ユーザによって指定されたウェブページをネットワークを介してウェブサーバ１０より取得する。データ送信部１４０は、送信受付部１２８によって取得した一括送信指示情報に基づいて、ユーザからの入力データを送信先のウェブサーバ１０へ送信する。応答受付部１５２は、データ送信部１４０によって送信されたデータに対するウェブサーバ１０からの応答を受け付ける。
【００３８】
データ処理部１４８は、結合部１３４とページ更新部１５０とからなる。
結合部１３４は、取得したウェブページを結合して一覧ウェブページを作成する。ページ更新部１５０は、応答受付部１５２によって受け付けられた各ウェブサーバからの応答に基づいて一覧ウェブページを更新する。
【００３９】
以下適宜、図４のネットワーク構成や図２の画面図を用いて処理の流れを説明する。なお、本実施形態において表示される一覧ウェブページの画面構成は、実施形態１で表示されるものと同じである。
ユーザは、閲覧したい複数のウェブページをＵＲＬを指定することによって一括受信指定画面に対して指定する。一括受信指定画面は、ユーザ端末４０内の機能によって表示されてもよいし、ウェブページ閲覧サーバ２００から送信されてユーザ端末４０に表示されてもよい。ウェブページの指定は、ＵＲＬの入力またはブックマークの一覧からの選択によって行われる。
【００４０】
一括受信指示受付部１２２は、ユーザからの一括受信指示を受け付ける。ページ取得部１３８は、指定を受けたウェブページを該当するウェブサーバから取得する。結合部１３４は、一覧ウェブページを作成する。一覧ウェブページの構成や作成方法などは、実施形態１で説明した内容と同様である。
一覧画面送信部１４４は、作成した一覧ウェブページをユーザ端末４０に送信し、表示させる。送信と同時にデータ保持部１３０は、一覧ウェブページを保持する。
【００４１】
表示される一覧ウェブページについて実施形態１と同様に図２を用いて説明する。ユーザは、ユーザ端末４０上に表示された一覧ウェブページのウェブページ該当領域２６にある入力領域へ入力する。ユーザは、切替指示部２４をクリックすることによってウェブページ該当領域２６の表示を切り替える。切り替えは選択したウェブページ該当領域２６を表示し、それ以外を隠す方法によって行われるが、該当部分へスクロールさせることによって行われてもよい。表示の切り替えは、一覧ウェブページ２０内に組み込まれたスクリプト言語によって実現され、ユーザ端末４０上で処理が行われる。切り替えの対象となったウェブページ該当領域２６への入力は、ウェブブラウザの機能やスクリプト言語等によってユーザ端末４０内に保持される。
【００４２】
ユーザは、一覧ウェブページ２０への入力を完了すると、一括送信ボタン２２を押下し、入力データを一括送信する。一括送信ボタン２２が押下されると、一覧ウェブページ２０内に組み込まれたスクリプト言語によって、各ウェブページ該当領域２６のｈｔｍｌに記載された送信指示に従ってウェブページ閲覧サーバ２００へのリクエストを生成する。具体的には、ウェブページ該当領域２６の送信ボタン３６を押下したときに生成されるそれぞれのウェブページについてのリクエストパラメータを１つに連結した形で生成する。リクエストパラメータには、送信先情報と入力データが含まれる。リクエスト生成後、ユーザ端末４０からウェブページ閲覧サーバ２００に対してリクエストが送信され、送信受付部１２８によって受け付けられる。
【００４３】
データ送信部１４０は、受信したリクエストから送信先情報と入力情報を取得し、送信先情報に対応したウェブサーバ１０に入力データを送信する。入力データの送信後、ウェブサーバ１０からの応答を応答受付部１５２によって受け付ける。ページ更新部１５０は、
受け付けた応答にしたがってデータ保持部に保持された一覧ウェブページを更新する。更新は、ウェブサーバからの応答毎にウェブページ該当領域２６単位で行ってもよいし、全ての応答を受け付けてから一括して更新してもよい。
【００４４】
更新画面送信部１４６は、更新された一覧ウェブページをユーザ端末４０へ送信する。
ユーザ端末４０は、更新されたウェブページを表示する。ウェブサーバ１０からの全ての応答が一覧ウェブページに反映された時点で処理を終了する。ユーザは、更新された一覧ウェブページに入力領域がある場合は、さらに入力、送信処理をすることができる。
【００４５】
以上、実施の形態をもとに本発明を説明した。なお、この発明はこの実施の形態に限定されることなく、そのさまざまな変形例もまた、本発明の態様として有効である。
また、上記実施の形態を実現するための機能をコンピュータ端末やサーバ、携帯電話に実現させるコンピュータプログラムも本発明の態様として有効である。
【００４６】
本発明に係るウェブページ閲覧装置によれば、閲覧したいウェブページを一括指定して読み込み結合した形で表示させるため、ウェブページの表示を切り替えるたびにサーバにアクセスする必要がなく、迅速に表示の切り替えができる。さらに、複数のウェブページに入力する際に、表示を切り替えて相互に参照しながら入力することができる。
また、ユーザは入力データの送信の際に、一括送信指示をすることによって、読み込みを行った各ページへの入力データを送信することができる。ユーザは、入力領域への入力後、各ページを表示させて送信ボタンをクリックすることを繰り返さずによくなるため、ユーザの操作負担が軽減する。さらに、一括送信指示を一回のクリック操作によって行わせることによってユーザの操作を簡易化することができる。
【００４７】
本発明に係るウェブページ閲覧サーバによれば、通常のウェブブラウザを備えたコンピュータ端末および携帯電話端末に特別なソフトウエアをインストールすることなく、上記の一括受信および一括送信の効果を得ることができる。
【００４８】
さらに、本発明に係るウェブページ閲覧装置およびウェブページ閲覧サーバによるウェブページの閲覧においては、一括送受信時のみネットワークに接続されていればよいため、ネットワーク回線の状況の影響を受けにくくなる。例えば、ネットワークが常時使用できない環境にあるときには、あらかじめウェブページの読み込みをしておき、閲覧や入力はネットワークと接続されていない状態で行い、再び接続したときに一括送信することができる。また、接続時間を短縮することができるため、通信費用を削減することができる。
【図面の簡単な説明】
【００４９】
【図１】実施形態１におけるネットワーク構成図である。
【図２】一覧ウェブページの画面図である。
【図３】ウェブページ閲覧装置の機能ブロック図である。
【図４】実施形態２におけるネットワーク構成図である。
【図５】ウェブページ閲覧サーバの機能ブロック図である。
【符号の説明】
【００５０】
１０  ウェブサーバ、  １２  ネットワーク、  ２０  一覧ウェブページ、  ２２  一括送信ボタン、  ２４  切替指示部、  ２６  ウェブページ該当領域、  ４０  ユーザ端末、  １００  ウェブページ閲覧装置、  １２０  インターフェース部、  １３０  データ保持部、  １３２  入力保持部、  １３４  結合部、  １３６  ウェブサーバ対応部、  １４８  データ処理部、  ２００  ウェブページ閲覧サーバ。
【図１】
0004938589.tif 000002
【図２】
0004938589.tif 000003
【図３】
0004938589.tif 000004
【図４】
0004938589.tif 000005
【図５】
0004938589.tif 000006